(57)【要約】【課題】  複数の給湯器を並列に接続した構成の給湯システムにおいて、単独給湯と同時給湯の切替えを簡便に行うことができる給湯システムを提供する。【解決手段】  貯湯タンク１と、貯湯タンク１内の湯水を加熱する加熱源２を備えた第１給湯機１０と、第１給湯機１０とは異なる加熱源を備えた第２給湯機２０が、給湯端末に対して並列に接続された給湯システムにおいて、第１給湯機１０の出湯経路と第２給湯機２０の出湯経路の圧力差を利用して、所定の給湯流量を超えたときに自動的に第１給湯機および第２給湯機の双方から給湯されるように第２給湯機の給水経路に減圧装置２１を設けたことを特徴とする。【選択図】図１
2018071875.tif 000002
【特許請求の範囲】
【請求項１】
貯湯タンクと、貯湯タンク内の湯水を加熱する加熱源を備えた第１給湯機と、第１給湯機とは異なる加熱源を備えた第２給湯機が、給湯端末に対して並列に接続された給湯システムにおいて、
第１給湯機の出湯経路と第２給湯機の出湯経路の圧力差を利用して、所定の給湯流量を超えたときに自動的に第１給湯機および第２給湯機の双方から給湯されるように第２給湯機の給水経路に減圧装置を設けたことを特徴とする給湯システム。
【請求項２】
請求項１に記載の給湯システムにおいて、
第１給湯機の出湯経路のうち、第２給湯機の出湯経路との合流部よりも上流側に設けられた給湯停止弁を備えたことを特徴とする給湯システム。
【請求項３】
請求項１に記載の給湯システムにおいて、
第１給湯機は、前記貯湯タンクに貯留された湯水を熱媒体として、給水管から供給される水を加熱し、加熱された湯を給湯端末に給湯するように構成されていることを特徴とする給湯システム。
【発明の詳細な説明】
【技術分野】
【０００１】
本発明は、複数の給湯機を接続した給湯システムに関する。
【背景技術】
【０００２】
深夜電力等を利用してヒートポンプサイクルを駆動し、低温水を加熱して所望の温度の湯を貯湯タンクに貯える沸上げ機能を備えたヒートポンプ式給湯機が知られている。また、ヒートポンプ式給湯機が湯切れしても安定した給湯ができるように、ヒートポンプ式給湯機とガス給湯機などの補助給湯機を並列に接続したハイブリッドタイプの給湯システムが知られている。従来、このような複数の給湯器を並列に接続した構成の給湯システムにおいて、出湯元となる給湯機の切替えは、それぞれの給湯器の出湯経路の合流部に設けられた三方弁などの切替部によって行われている（例えば、特許文献１）。
【先行技術文献】
【特許文献】
【０００３】
【特許文献１】特許第５６３４１４７号
【発明の概要】
【発明が解決しようとする課題】
【０００４】
ところで、複数の給湯器を並列に接続した給湯システムにおいて、個々の給湯機からの単独給湯だけでなく、複数の給湯機から同時給湯すればシステムを大型化せずに給湯可能な流量を増やすことができる。従来の切替部を用いたハイブリッドタイプの給湯システムにおいても、構成上は同時給湯が可能である。しかしながら、逐一、給湯流量を検出しながら切替部の制御を行う必要があり、構成部材が多くなり、制御が煩雑になる。また、切替部に三方弁などを用いて両方の給湯機から同時給湯した場合には、三方弁の機構上、抵抗が大きくなり同時給湯時の給湯量を低下させてしまう。
【０００５】
本発明は、複数の給湯器を並列に接続した構成の給湯システムにおいて、単独給湯と同時給湯の切替えを簡便に行うことができる給湯システムを提供することを目的とする。
【課題を解決するための手段】
【０００６】
本発明は、貯湯タンクと、貯湯タンク内の湯水を加熱する加熱源を備えた第１給湯機と、第１給湯機とは異なる加熱源を備えた第２給湯機が、給湯端末に対して並列に接続された給湯システムにおいて、第１給湯機の出湯経路と第２給湯機の出湯経路の圧力差を利用して、出湯元の給湯機が給湯流量に応じて自動的に切替わり、所定の給湯流量を超えたときに第１給湯機および第２給湯機の双方から給湯されるように第２給湯機の給水経路に減圧装置を設けたことを特徴とする。
【発明の効果】
【０００７】
本発明によれば、複数の給湯器を並列に接続した構成の給湯システムにおいて、単独給湯と同時給湯の切替えを簡便に行うことができる。
【図面の簡単な説明】
【０００８】
【図１】第１実施形態に係る給湯システムを示す全体概略図である。
【図２】第２実施形態に係る給湯システムを示す全体概略図である。
【図３】第３実施形態に係る給湯システムを示す全体概略図である。
【発明を実施するための形態】
【０００９】
［第１実施形態］
以下、本発明の給湯システムの実施形態について適宜図面を参照しながら説明する。図１は本実施形態の給湯システムの概要を示した構成図である。図１に示すように、本実施形態の給湯システムは、貯湯タンク１と、貯湯タンク１内の湯水を加熱する加熱源２を備えた第１給湯機１０と、第１給湯機１０とは異なる加熱源を備えた第２給湯機２０とを備えている。第１給湯機１０と第２給湯機２０には給水管３１、給湯管３２がそれぞれ接続され、給湯端末に対して各給湯機が並列に接続されている。このように給湯端末に対して第１給湯機１０と第２給湯機２０を並列に接続することで、出湯元となる給湯機を切替えて給湯端末への給湯が可能となる。
【００１０】
ここで、本実施形態の給湯システムでは、出湯元となる給湯機の切替えを給湯流量に応じて自動で行うための減圧装置２１が、第２給湯機２０の給水経路（給水源と第２給湯機２０とを繋ぐ給水管３１）に設けられている。
【００１１】
減圧装置２１を設けることで、第１給湯機の出湯経路と第２給湯機の出湯経路に圧力差を生じさせることができる。この圧力差を利用することで、給湯流量に応じて出湯元の給湯機を単独給湯と同時給湯に自動的に切替え、所定の給湯流量を超えたときに第１給湯機および第２給湯機の双方から同時に給湯されるように構成することができる。給湯機の切替えの詳細については後述する。
【００１２】
＜第１給湯機＞
第１給湯機１０は、湯水を貯留する貯湯タンク１と、貯湯タンク１に貯湯するための水を加熱する加熱源２を備え、貯湯タンク１に貯湯された湯を利用して給湯端末に給湯するものである。
【００１３】
加熱源２は、貯湯タンク１に貯湯するための水を加熱できるものであればよく、例えば、ヒートポンプ、電熱ヒータなどを用いることができる。以下では、加熱源２としてヒートポンプを用いた場合を例として説明する。
【００１４】
第１給湯機１０では、給水経路である給水管３１を介して貯湯タンク１に水が供給される。通常、貯湯タンク１の保護のため給水経路に設けられた減圧弁などの減圧装置３で減圧された水が貯湯タンク１に供給されるようになっている。貯湯タンク１内の湯水は、ヒートポンプ入水管３４からヒートポンプに送られ、ヒートポンプで加熱された湯がヒートポンプ出湯管３５を通って貯湯タンク１に戻される。そして、貯湯タンク１に貯湯された湯を利用して、出湯経路である給湯管３２から給湯端末への給湯が行われる。
【００１５】
ここで、図１では給湯端末に貯湯タンク１に貯湯された湯を直接給湯する構成を示しているが、貯湯タンク１の湯を熱源として給水源から供給された水を加熱して給湯する構成であってもよい。
【００１６】
＜第２給湯機＞
第２給湯機２０は、第１給湯機１０とは異なる加熱源を備えており、第１給湯機１０に対する補助的な給湯手段として機能する。例えば、可燃性ガスを燃焼させるガスバーナー（加熱源）で水を加熱するガス給湯機や、石油バーナー（加熱源）で水を加熱する石油給湯機などが挙げられる。第２給湯機２０では、給水経路である給水管３１から供給された水が加熱源で加熱され、出湯経路である配管３３、給湯管３２から給湯端末への給湯が行われる。補助的な給湯手段として、必要な時に必要量の湯を瞬時に無駄なく供給する観点からは貯湯式よりも瞬間式の給湯機を用いることが好ましい。また、第２給湯機２０の加熱源は、第２給湯機２０に供給される水の流れを検知して加熱源のオン／オフを制御するものが好ましい。
【００１７】
＜減圧装置＞
減圧装置３は、給水源からの給水の圧力（一次圧）を所定の圧力（二次圧）に減圧して貯湯タンク１に給水するものである。また、減圧装置２１は、給水源からの給水の圧力（一次圧）を所定の圧力（二次圧）に減圧して第２給湯機に給水するものである。減圧装置３および減圧装置２１としては、例えば減圧弁を用いることができ、二次圧を調整できるものであれば適用可能である。
【００１８】
減圧装置３に設定される所定の圧力（二次圧）は、貯湯タンク１０の強度に応じて適宜設定することができる。また、減圧装置２１に設定される所定の圧力（二次圧）は、後述する第１給湯機ならびに第２給湯機における圧力損失の関係を考慮して設定される。
【００１９】
＜給湯機の切替え動作＞
次に本実施形態の給湯システムにおける給湯流量に応じた出湯元の給湯機の切替え動作について説明する。
【００２０】
まず、第１給湯機から出湯経路への出湯圧力Ｐ１と、第２給湯機から出湯経路への出湯圧力Ｐ２の関係が、所定の給湯流速Ｖ０においてＰ１＞Ｐ２になるように減圧装置２１を設定する。ここで、出湯圧力Ｐ１、出湯圧力Ｐ２は以下の式１、式２で表わされる。式１、式２から、Ｐ１＞Ｐ２の関係は式３に置き換えられ、式３を満たすように減圧装置の設定圧力（二次圧）を決定すればよい。
【００２１】
出湯圧力Ｐ１＝Ｐ０−ΔＰ１・・・（式１）
出湯圧力Ｐ２＝Ｐ０−ΔＰ２−ΔＰ３・・・（式２）
ΔＰ１＜ΔＰ２＋ΔＰ３・・・（式３）
ここで、Ｐ０は給水源からの給水圧力、ΔＰ１は第１給湯機の圧力損失、ΔＰ２は減圧装置２１での減圧量（一次圧と二次圧の差分）、ΔＰ３は第２給湯機の圧力損失である。
【００２２】
所定の給湯流速Ｖ０において出湯圧力Ｐ１＞出湯圧力Ｐ２の関係にあるとき、給湯管３２には出湯圧力の高い第１給湯機から湯が優先的に供給される。そして、給湯管３２内の圧力は第２給湯機の出湯圧力Ｐ２よりも高圧のため、第２給湯機から給湯管３２に湯は流れにくい。このため、第２給湯機を流通する湯水はほぼ静止した状態、または、圧力条件によっては第１給湯機に流通する湯水に対してごく少量の湯水が流れる状態となる。したがって、出湯圧力Ｐ１＞出湯圧力Ｐ２の関係にあるときには、出湯元の給湯機は第１給湯機からの給湯が支配的となり、給湯端末への給湯が行われる（給湯形態１）。ここで、第２給湯機に少量の湯水が流れる場合があるが、第２給湯機の加熱源が作動する流量よりも少ない場合には第２給湯機から給湯端末には水が供給されるのみで、給湯は行われない。すなわち、このような状態は第１給湯機からの単独給湯である。
【００２３】
次に、給湯端末への給湯流量が増加し、給湯流速が増加した場合について説明する。配管を流れる流体の圧力損失は流速の２乗に比例して増加するため、給湯流速の増加とともに第１給湯機の圧力損失ΔＰ１が増加する。一方、第２給湯機内の湯水は流れる量が小さく、流速変動が少ない状態であるため、第２給湯機の圧力損失ΔＰ3は大きく変動しない。また、減圧装置２１での減圧量は一定であることから、所定の給湯流速Ｖ０から流速が増加し、ある給湯流速Ｖ１において、圧力関係は式４となる。すなわち、出湯圧力Ｐ１と出湯圧力Ｐ２が同じになる。
【００２４】
ΔＰ１＝ΔＰ２＋ΔＰ３・・・（式４）
この関係においては、第１給湯機と第２給湯機の出湯経路に圧力差が生じない。このため、給湯形態１のように第２給湯機から給湯配管３２への湯の流れは抑制されず、第１給湯機及び第２給湯機の双方から同時に湯が供給される（給湯形態２）。ここで、第１給湯機及び第２給湯機の双方から同時給湯されるタイミングは式４の圧力関係になる前から開始される。具体的には、給湯端末への給湯流速が増加して式４の圧力関係になる前に、圧力差の減少に伴って第２給湯機を流通する湯水の量が増加する。そして、所定の流量を超えると第２給湯機の加熱源が起動して第２給湯機からも給湯が開始され、給湯流速が給湯流速Ｖ１に近づくにつれて第２給湯機からの給湯量が増大する。
【００２５】
また、給湯流速Ｖ１を超えて更に給湯流速が増加した場合には、流速の増加に伴って第１給湯機及び第２給湯機ともに圧力損失が同様に増加していくことから、両者の圧力差は大きく変動せず、同時給湯が継続される。
【００２６】
一方、給湯端末からの給湯需要が減り給湯流量が減少すると、給湯流速の低下に伴って第１給湯機の圧力損失ΔＰ１が減少することで式３の関係に戻り、給湯形態１に切り替わる。
【００２７】
このように、第１給湯機及び第２給湯機の双方から同時給湯する給湯流速Ｖ１において式４の関係を満たし、給湯流速がＶ１未満においては式３の関係を満たすように、減圧装置２１の減圧量を設定する。これにより、給湯流量に応じて給湯形態１と給湯形態２を自動的に切り替えることが可能となる。
【００２８】
このように本実施形態の給湯システムによれば、給湯機を切替えるための切替弁の制御を行う必要がなく、簡素なシステム構成で給湯需要に応じて、給湯流量が少ない場合には第１給湯機を主体とした給湯、給湯流量が多い場合には第１給湯機及び第２給湯機からの同時給湯になるように自動的に切替えを行うことができる。また、給湯機の切替えのための切替弁が不要であるため、同時給湯によって給湯可能な給湯量を増やすことができる。特に業務用給湯を利用する施設など湯の使用量が大きく可変する用途においては、給湯機の切替回数が増加することから、切替制御が不要な本実施形態の給湯システムは有効である。
【００２９】
［第２実施形態］
図２は、第１給湯機として、貯湯タンクに貯湯された湯を給湯端末に供給するヒートポンプ式給湯機を用いた場合の給湯システムの一例である。
【００３０】
図２に示すように、本実施形態に係る給湯システムは、第１実施形態と同様に貯湯タンク１と、貯湯タンク１内の湯水を加熱するヒートポンプユニット１２を備えた第１給湯機１０と、第１給湯機１０とは異なる加熱源を備えた第２給湯機２０とを備え、第１給湯機１０と第２給湯機２０が給湯端末に対して並列に接続されている。
【００３１】
第２実施形態では、更に、第１給湯機１０から給湯端末への給湯を停止するための給湯停止弁６を給湯管３２に備えている。給湯停止弁６は、図示しないヒートポンプユニット１２に設けられた制御部と電気的に接続され、給湯停止弁６の開閉が制御される。
【００３２】
本実施形態においても、減圧装置２１の設定圧力（二次圧）は、第１給湯機及び第２給湯機の双方から給湯する給湯流速Ｖ１において式４の関係を満たし、給湯流速がＶ１未満においては式３の関係を満たすように設定されている。なお、本実施形態において第１給湯機１０の圧力損失ΔＰ１は、第１給湯機１０の給水口から出湯口に至る経路における圧力損失であり、具体的には減圧弁３、貯湯タンク１に給水するための配管、貯湯タンク１、貯湯タンク１と給湯管３２を接続する配管を含む経路での圧力損失となる。また、減圧弁３は第１給湯機の外部の給水管に設置される場合もあるが、この場合にも減圧弁３の圧力損失を含めて第１給湯機１０の圧力損失ΔＰ１とする。
【００３３】
このように減圧装置２１の設定圧力（二次圧）を設定することで、第１実施形態と同様に給湯流量が少ない場合には第１給湯機を主体とした給湯（給湯形態１）が行われる。また、給湯流量が増加すると自動的に第１給湯機および第２給湯機の双方からの給湯に切り替わり、給湯流速がＶ１以上では給湯端末に同時給湯が行われる（給湯形態２）。
【００３４】
次に、貯湯タンク１に貯湯された湯水の温度が低下し、貯湯タンク１の「湯切れ」によって第１給湯機１０から給湯が困難な場合の運転について説明する。
【００３５】
貯湯タンク１には、異なる高さ位置での湯水の温度を検知する複数の温度センサ４ａ〜４ｃが設けられており、貯湯タンク１内の湯水の温度分布を把握できるようになっている。
温度センサ４ａ〜４ｃの情報に基づいて、貯湯タンク１内の湯水の温度分布が設定値以下となり「湯切れ」と判断されると、制御部は給湯停止弁６を閉じて、第１給湯機１０から給湯端末への給湯を停止する。一方、上記制御部は設定された沸き上げ量に応じて「湯切れ」となった場合、あるいは湯切れになる以前にヒートポンプユニット１２を稼働させ、貯湯タンク１内の湯水をヒートポンプユニット１２によって沸き上げる。すなわち、貯湯タンク１の下部からヒートポンプ入水管３４を介してヒートポンプユニット１２に送り、ヒートポンプユニット１２によって加熱された湯を、ヒートポンプ出湯管３５を介して貯湯タンク１の上部に戻すことで、貯湯タンク内は下部に低温水、中間部に中温水、上部に高温水が層状に貯留されていく。貯湯タンク１とヒートポンプユニット１２との間で湯水の循環を繰り返すことで所定温度の湯水が貯湯タンク１内に貯留される。
【００３６】
一方、この状態で給湯端末から給湯需要があった場合には、給湯停止弁６が閉じられているため、第１給湯機１０から給湯管３２に湯は流れない。そのため、第２給湯機２０から給湯管３２への出湯は制限されず、第２給湯機２０から給湯端末への給湯が行われる。このように給湯停止弁６が閉じられた状態で給湯需要があった場合には、出湯元の給湯機が第２給湯機２０となり、給湯端末への給湯が行われる（給湯形態３）。このように第１給湯機が湯切れした場合においても、第２給湯機から安定した給湯を行うことができる。
【００３７】
そして、第１給湯機１０の沸上げ運転が完了し、貯湯タンク１内の湯水の温度分布が設定値以上になると、制御部は給湯停止弁６を開いて第１給湯機１０から給湯端末への給湯が可能な状態に戻す。その後は、給湯流量に応じて給湯元の給湯機が給湯形態１、給湯形態２に自動で切り替わり給湯端末への給湯が行われる。
【００３８】
本実施形態の特徴の一つとしては、給湯停止弁６の開閉によって給湯形態１，２と給湯形態３の切替えが可能な点である。上記では、第１給湯機１０の湯切れ時に給湯停止弁６を制御して給湯形態３に切り替える例を説明したが、リモコン５の操作によるユーザーからの指令に基づいて給湯停止弁６の開閉を制御して給湯形態３に切替えたり、湯切れ以外のタイミングで給湯停止弁６の開閉を制御して給湯形態３に切替えることも可能である。
【００３９】
本実施形態の給湯システムによれば、第１実施形態と同様に給湯形態１と給湯形態２を給湯流量に応じて自動切替えが可能であり、さらに給湯停止弁６の制御によって給湯形態３への切替えを簡素なシステム構成で実現することができる。
【００４０】
［第３実施形態］
図３は、第１給湯機として、貯湯タンクに貯湯された湯を熱源として給水源から供給された水を加熱して給湯端末に供給するヒートポンプ式給湯機を用いた場合の給湯システムの一例である。
【００４１】
図３に示すように、本実施形態に係る給湯システムは、第２実施形態と同様に貯湯タンク１と、貯湯タンク１内の湯水を加熱するヒートポンプユニット１２を備えた第１給湯機１０と、第１給湯機１０とは異なる加熱源を備えた第２給湯機２０とを備え、第１給湯機１０と第２給湯機２０が給湯端末に対して並列に接続されている。
【００４２】
本実施形態の第１給湯機１０は、給湯熱交換器７を用いて貯湯タンクに貯湯された湯を熱媒体として、給水源から供給される水を加熱し、加熱された湯を給湯端末に供給する構成である。第１給湯機１０から給湯端末への給湯時には、給水管３１および配管３８を介して給水源から水が給湯熱交換器７に送られ、給湯熱交換器７で加熱された湯が配管３９および給湯管３２を介して給湯される。この際、給水経路（配管３８）あるいは出湯経路（配管３９）の湯水の流れを流量センサ９等で検知すると、給湯循環ポンプ８を駆動させ、貯湯タンク１内の湯を給湯熱交換器往き管３６および給湯熱交換器戻り管３７を介して給湯熱交換器７に循環供給しながら、貯湯タンク１の湯を熱源として配管３８を介して給湯熱交換器７に給水された水を加熱する。給湯温度センサ１１からの給湯温度の情報に基づいて給湯循環ポンプ８を制御して貯湯タンク１と給湯熱交換器を循環する湯量を調整することによって、給湯温度を設定された給湯温度に調整することができる。その他の構成については第２実施形態と同様である。
【００４３】
本実施形態においても、減圧装置２１の設定圧力（二次圧）は、第１給湯機及び第２給湯機の双方から給湯する給湯流速Ｖ１において式４の関係を満たし、給湯流速がＶ１未満においては式３の関係を満たすように設定されている。この関係を満たすように減圧装置２１を設けることによって、本実施形態の構成においても、第２実施形態と同様に給湯流量に応じて給湯形態１と給湯形態２を自動で切替えることが可能であり、また、停止弁６の制御によって給湯形態３への切替えを行うことができる。
【００４４】
また、本実施形態においては、第１給湯機１０の圧力損失ΔＰ１は、第１給湯機１０の給水口から出湯口に至る経路における圧力損失であり、具体的には給水経路となる配管３８、給湯熱交換器７、出湯経路となる配管３９を含む経路での圧力損失となる。第１実施形態、第２実施形態では、貯湯タンク１を保護するための減圧弁３が必要であり、この減圧弁３が大きな圧力損失となり、第１給湯機の出湯圧力Ｐ１を高く設定することが困難であった。これに対して本実施形態では、給水口から出湯口に至る経路に減圧装置を設置する必要がなく給水源からの給水圧を大きく低下させずに、高い出湯圧力Ｐ１で給湯端末への給湯が可能である。また、第１給湯機の出湯圧力Ｐ１を高くできることから、減圧装置２１の設定圧力（二次圧）も高くでき、結果として第２給湯機の出湯圧力Ｐ２も高くできる。したがって、本実施形態の給湯システムによれば、第１、第２実施形態の効果とともに給湯端末への給湯圧力を高くできるという特徴を備える。
【００４５】
第１〜第３実施形態で説明した給湯システムの特徴を纏めると以下の通りである。
【００４６】
第２給湯機の給水経路に減圧装置２１を設け、その設定圧力（二次圧）を所定の関係を満たすように設定することで、第１給湯機の出湯経路と第２給湯機の出湯経路の圧力差を利用した出湯元の給湯機の切替えを電気的な制御を行わずに自動で行うことが可能となる。具体的には、以下の給湯形態１、給湯形態２の切替えを自動で行うことができる。
（１）通常時は主に第１給湯機が主動的に給湯を行う（給湯形態１）。
（２）所定の給湯流速を超えた場合（例えば、必要な瞬間給湯流量が第１給湯機の給湯可能瞬間給湯流量を超えた場合）に、第１給湯機とともに第２給湯機からも並行して同時に給湯することで、必要な瞬間給湯流量を賄う（給湯形態２）。
【００４７】
また、第２、第３実施形態のように給湯管に給湯停止弁を設けることによって、給湯停止弁の開閉制御のみで、給湯形態１，２と以下の給湯形態３の切替えを行うことができる。
（３）第１給湯機の貯湯量が無くなった場合、給湯停止弁を閉じて第２給湯機からの給湯のみとし、その間に第１給湯機は貯湯運転を行う（給湯形態３）。
（４）第１給湯機の貯湯量が所定量を超えた際には給湯停止弁を開き、第１給湯機の主動的な給湯、または、第１給湯機と第２給湯機からの同時給湯に戻る（給湯形態１または２）
このように本実施形態に係る給湯システムによれば、簡素なシステム構成で煩雑な制御を行わなくても出湯元となる給湯機の切替えが可能であり、給湯端末への給湯量が増加したときに物理的な圧力差を利用して第１給湯機、第２給湯機の双方からの同時給湯を行うことができる。
【００４８】
なお、第１〜第３実施形態は一例を示したものであり適宜変更が可能である。例えば、減圧装置２１は第２給湯機の給水経路に設けているが、第２給湯機の出湯経路に減圧装置２１を設けるように構成しても良い。その場合、出湯経路には高温の湯が流れることから減圧装置２１の耐熱性を考慮する必要がある。また、給湯端末に貯湯タンクから直接湯を供給する方式において、減圧装置３は第１給湯機と第２給湯機との分岐部よりも下流側の給水管に設置することがシステム内の圧力バランスを調整する上で好ましいが、分岐部の上流側の給水管に設置しても良い。また、必要に応じて第２給湯機の出湯経路（配管３３）に逆止弁を設けてもよい。その他、第１給湯機ならびに第２給湯機のシステム構成は既存の構成を採用できる。
【符号の説明】
【００４９】
１      貯湯タンク
２      加熱源
３      減圧装置
４ａ〜４ｃ  温度センサ
５      リモコン
６      給湯停止弁
７      給湯熱交換器
８      給湯循環ポンプ
９      流量センサ
１０    第１給湯機
１１    給湯温度センサ
１２    ヒートポンプユニット
２０    第２給湯機
２１    減圧装置
３１    給水管
３２    給湯管
３３、３８、３９    配管
３４    ヒートポンプ入水管
３５    ヒートポンプ出湯管
３６    給湯熱交換器往き管
３７    給湯熱交換器戻り管  
【図１】
2018071875.tif 000003
【図２】
2018071875.tif 000004
【図３】
2018071875.tif 000005